(57)【要約】      （修正有）【課題】短いカードと、本来接触させてはならない長いカードに関連して設けられるコンタクト端子との接触を防ぐことができるカード用コネクタ装置の提供。【解決手段】第１カード１と、この第１カード１よりも幅広肉厚で長さの短い第２カード２とがそれぞれ選択的に装着可能な所定の装着部３ｂを有するハウジング３と、第１カード１の複数の接触部１ｂとそれぞれ接触可能な複数の第１コンタクト端子４と、第２カード２の複数の接触部２ｂとそれぞれ接触可能な複数の第２コンタクト端子５とを備え、第２カード２の挿入に伴って、この第２カード２と第１コンタクト端子４とが接触しないように、第１コンタクト端子４を押し下げるカム部１６ｄを含むカム機構を備えた構成にしてある。【選択図】図２３
2008004433.tif 000002
【特許請求の範囲】
【請求項１】
第１カードと、この第１カードよりも幅広肉厚で長さの短い第２カードとがそれぞれ選択的に装着可能な所定の装着部を有するハウジングと、上記第１カードの複数の接触部とそれぞれ接触可能な複数の第１コンタクト端子と、上記第２カードの複数の接触部とそれぞれ接触可能な複数の第２コンタクト端子とを備え、
上記第２カードの挿入に伴って、この第２カードと上記第１コンタクト端子とが接触しないように、上記第１コンタクト端子を押し下げるカム機構を備えたことを特徴とするカード用コネクタ装置。
【請求項２】
上記請求項１記載の発明において、
上記カム機構が、上記第１カードの上記接触部と接触可能な上記第１コンタクト端子の凸部を突出可能にさせる窓部を有し回動可能な板状部と、この板状部に固設され、上記第２カードによって押圧されるカム部とを含むことを特徴とするカード用コネクタ装置。
【請求項３】
上記請求項１または２記載の発明において、
上記第１カード及び上記第２カードを上記所定の装着部から排出させるスライド部材を備えたことを特徴とするカード用コネクタ装置。
【請求項４】
上記請求項３記載の発明において、
上記第１カード及び上記第２カードが上記所定の装着部に至ったときに、上記スライド部材をロック可能なロック機構を備えるとともに、
上記スライド部材が、所定の排出位置とロック位置との間にあることを検出可能な、また、ロック位置にあることを検出可能な、さらに、オーバーストローク位置にあることを検出可能な検出手段を備えたことを特徴とするカード用コネクタ装置。
【発明の詳細な説明】
【技術分野】
【０００１】
本発明は、複数種類のカード、特に幅狭肉薄のカードと、このカードよりも幅広肉厚のカードとを選択的に装着可能なカード用コネクタ装置に関する。
【背景技術】
【０００２】
この種の従来技術として、例えば特許文献１に示されるものがある。この従来技術は、幅狭肉薄のカードと、このカードよりも幅広肉厚のカードとを選択的に装着可能なカード用コネクタ装置であり、上述の２つのカードを選択的に装着可能な所定の装着部を有するハウジングと、上述のそれぞれのカードに対応して設けられ、それぞれのカードの接触部に接触可能な複数の第１，第２コンタクト端子と、それぞれのカードを所定の装着部から排出させるスライド部材とを備えた構成になっている。上述した第１コンタクト端子と第２コンタクト端子は、カードの挿抜方向に沿って互いに並設されている。
【０００３】
上述した２つのカードのうちの幅広肉厚カードは、幅狭肉薄カードよりも長さ寸法が長く設定されている。また、この従来技術は、幅狭肉薄のカードの側部を案内するために、このカードの側部に対向するハウジングの側壁部分に、カード案内部材すなわちガイド部材を回動可能に、すなわち進退可能に設けた構成になっている。幅広肉厚のカードがハウジングに挿入された際には、そのカードの挿入に応じてガイド部材がハウジングの壁部内に後退するようになっている。
【特許文献１】特開２００４−７１２５７公報
【発明の開示】
【発明が解決しようとする課題】
【０００４】
上述した従来技術にあって、装置の長さ方向を小さくするために、長さ寸法の長いカードに関連させて装置の奥側に設けられる第１コンタクト端子と、長さ寸法の短いカードに関連させて装置の手前側に設けられる第２コンタクト端子とを接近させて配置するようにした場合には、長さ寸法の短いカードの押し込みに伴って、この短いカードと、本来接触してはならない長いカードに関連して設けられる第１コンタクト端子とが接触し、誤動作を生じる懸念がある。
【０００５】
本発明は、上述した従来技術における実状からなされたもので、その目的は、短いカードと、本来接触させてはならない長いカードに関連して設けられるコンタクト端子との接触を防ぐことができるカード用コネクタ装置を提供することにある。
【課題を解決するための手段】
【０００６】
この目的を達成するために、本発明は、第１カードと、この第１カードよりも幅広肉厚で長さの短い第２カードとがそれぞれ選択的に装着可能な所定の装着部を有するハウジングと、上記第１カードの複数の接触部とそれぞれ接触可能な複数の第１コンタクト端子と、上記第２カードの複数の接触部とそれぞれ接触可能な複数の第２コンタクト端子とを備え、上記第２カードの挿入に伴って、この第２カードと上記第１コンタクト端子とが接触しないように、上記第１コンタクト端子を押し下げるカム機構を備えたことを特徴としている。
【０００７】
このように構成した本発明は、長いカードである第１カードを所定の装着部に装着させた際には、この第１カードの接触部と第１コンタクト端子とが接触し、この第１カードに対する信号の送受信が可能となる。また、短いカードである第２カードを所定の装着部に装着させた際には、この第２カードの接触部と第２コンタクト端子とが接触し、この第２カードに対する信号の送受信が可能となる。また、このように短いカードである第２カードが押し込まれた際には、カム機構によって第１コンタクト端子が第２カードと接触しないように押し下げられる。すなわち、短いカードと、本来接触させてはならない長いカードに関連して設けられる第１コンタクト端子との接触を防ぐことができる。
【０００８】
また、本発明は、上記発明において、上記カム機構が、上記第１カードの上記接触部と接触可能な上記第１コンタクト端子の凸部を突出可能にさせる窓部を有し回動可能な板状部と、この板状部に固設され、上記第２カードによって押圧されるカム部とを含むことを特徴としている。このように構成した本発明は、カム機構が、板状部と、この板状部に固設されるカム部を含む簡単な構成であるので、このカム機構の製作が容易である。
【０００９】
また、本発明は、上記発明において、上記第１カード及び上記第２カードを上記所定の装着部から排出させるスライド部材を備えたことを特徴としている。このように構成した本発明は、所定の装着部に装着された第２カードを排出させるために、第２カードを押し込んでスライド部材をオーバーストロークさせた際でも、上述したカム機構によって第２カードと第１コンタクト端子との接触を生じることがない。
【００１０】
また、本発明は、上記発明において、上記第１カード及び上記第２カードが上記所定の装着部に至ったときに、上記スライド部材をロック可能なロック機構を備えるとともに、上記スライド部材が、所定の排出位置とロック位置との間にあることを検出可能な、また、ロック位置にあることを検出可能な、さらに、オーバーストローク位置にあることを検出可能な検出手段を備えたことを特徴としている。このように構成した本発明は、ロック機構によってスライド部材をロックすることにより、所定の装着部に保持された第１カードあるいは第２カードに対する安定した信号の送受信が可能となる。また、検出手段により、スライド部材がロック位置にあることが、また、オーバーストローク位置にあることが、さらに、これらの両位置以外の位置にあることが検出されるので、第１カード及び第２カードに対する信号の送受信制御を高精度に行なうことができる。
【発明の効果】
【００１１】
本発明は、第２カードの挿入に伴って、この第２カードと第１コンタクト端子とが接触しないように、第１コンタクト端子を押し下げるカム機構を備えたことから、短いカードと、本来接触させてはならない長いカードに関連して設けられる第１コンタクト端子との接触を防ぐことができ、このような接触による誤動作の発生を防止でき、信頼性の高いカード用コネクタ装置を実現できる。また、第１コンタクト端子と第２コンタクト端子とを接近させて配置することによる装置の小型化も実現可能である。
【発明を実施するための最良の形態】
【００１２】
以下，本発明に係るカード用コネクタ装置を実施するための最良の形態を図に基づいて説明する。
【００１３】
［本実施形態に使用される第１カード］
図１は本発明に係るカード用コネクタ装置の一実施形態に使用される第１カードを示す図で、（ａ）図は平面図、（ｂ）図は正面図、（ｃ）図は側面図、（ｄ）図は裏面図である。
【００１４】
この図１に示すように、本実施形態に係るカード用コネクタ装置に使用される複数のカードのうちの第１カード１は、先端部１ａ付近の裏面側に、この図１の（ｄ）図に示すように信号の送受信に際して活用される複数の接触部１ｂを備えている。また、図１の（ａ）図に示すように、一方の側部に凹部１ｃを備えている。この第１カード１は、幅狭肉薄のカードである。
【００１５】
［本実施形態に使用される第２カード］
図２は本発明に係るカード用コネクタ装置の一実施形態に使用される第２カードを示す図で、（ａ）図は平面図、（ｂ）図は正面図、（ｃ）図は側面図、（ｄ）図は裏面図である。
【００１６】
この図２に示すように、本実施形態に係るカード用コネクタ装置に使用される複数のカードのうちの第２カード２は、先端部２ａ付近の裏面側に、この図２の（ｄ）図に示すように信号の送受信に際して活用される複数の接触部２ｂを備えている。また、図２の（ａ）図に示すように、両側部に凹部２ｃを備えている。この第２カード２は、幅広肉厚のカードである。すなわち、この第２カード２の幅寸法Ｗ２は、図１に示す第１カード１の幅寸法Ｗ１よりも広く設定され、この第２カード２の厚さ寸法ｔ２は、第１カード１の厚さ寸法ｔ１よりも厚く設定されている。なお、第２カード２の長さ寸法Ｌ２は、第１カード１の長さ寸法Ｌ１よりも短く設定されている。
【００１７】
［本実施形態の構成］
図３は本実施形態に係るカード用コネクタ装置の構成を示す図で、特にカバー部材を除いた状態を示す平面図、図４は図３に示す状態からスライド部材を除いた状態を示す平面図、図５は図３のＡ−Ａ断面拡大図、図６は本実施形態に備えられるガイド部材を示す図で、（ａ）図は平面図、（ｂ）図は正面図、（ｃ）図は側面図である。
【００１８】
図３に示すように、本実施形態は、本体を形成する樹脂製のハウジング３を備えている。図示しないがハウジング３上にはカバー部材が配置される。ハウジング３は、上述の第１カード１及び第２カード２が装着される所定の装着部３ｂを有する。このハウジング３には、第１カード１の複数の接触部１ｂとそれぞれ接触可能な複数の第１コンタクト端子４と、第２カード２の複数の接触部２ｂとそれぞれ接触可能な複数の第２コンタクト端子５とがインサート成形されている。第１コンタクト端子４は装置の奥側位置に、第２コンタクト端子５は装置の手前側位置に、それぞれカード挿抜方向に沿って並設されている。
【００１９】
また、同図３に示すように、第１カード１及び第２カード２を所定の装着部３ｂから排出させるスライド部材６を備えている。このスライド部材６は、図示しない付勢部材によってハウジング３の挿入口３ａの方向に、すなわちカード排出方向に付勢されている。
【００２０】
このスライド部材６は、図５に示すように、挿入口３ａ側の位置に、第１カード１の厚さ方向に位置する面部、例えば表面部を案内するガイド部６ａを有するとともに、このガイド部６ａに連設され、第１カード１の先端部１ａが係合する第１係合部６ｂと、この第１係合部６ｂより挿入口３ａ側に位置し、第２カード２の先端部２ａが係合する第２係合部６ｃを有する。
【００２１】
さらに、図３に示すように、後述の可動接点を形成するねじりコイルばね９が取り付けられる取り付け部６ｄを有するとともに、ハートカム８を備えている。このハートカム８は、往路８ａと、復路８ｂと、これらの往路８ａと復路８ｂとの間に形成されるロック部８ｃとを有する。上述したハウジング３に、摺動ピン７が揺動自在に取り付けられており、この摺動ピン７の先端部７ａがハートカム８に係合している。
【００２２】
上述したハートカム８と摺動ピン７とによって、第１カード１及び第２カード２がハウジング３内の所定の装着部３ｂに至ったときに、スライド部材６をロック可能なロック機構が構成されている。
【００２３】
なお、スライド部材６には、第１カード１の凹部１ｃ及び第２カード２の一方の凹部２ｃに係合可能な凸部１４ａを有し、これらの第１カード１及び第２カード２を保持可能な第１付勢部材１４と、第２カード２の他方の凹部２ｃに係合可能な凸部１５ａを有し、この第２カード２を保持可能な第２付勢部材１５とを設けてある。
【００２４】
また、上述したねじりコイルばね９と対向するハウジング３の表面部には、ねじりコイルばね９の一方の脚部９ａが常時接触する共通接点１０と、ねじりコイルばね９の他方の脚部９ｂがそれぞれ選択的に接触する第１固定接点１１と第２固定接点１２とを形成してある。第１固定接点１１と第２固定接点１２との間の部分は、絶縁領域１３となっており、ねじりコイルばね９の脚部９ｂが、この絶縁領域１３に至るまでスライド部材６が移動したとき、このスライド部材６が上述したロック機構でロックされるようになっている。すなわち、絶縁領域１３は、スライド部材６のロック位置に対応させて設けてある。
【００２５】
上述した可動接点を形成するねじりコイルばね９と、共通接点１０と、第１固定接点１１及び第２固定接点１２と、絶縁領域１３とによって、スライド部材６が、所定の排出位置とロック位置との間にあることを検出可能な、また、ロック位置にあることを検出可能な、さらに、オーバーストローク位置にあることを検出可能な検出手段が構成されている。
【００２６】
また、本実施形態は、スライド部材６を除いた図４及び図６に示すように、第１カード１の側方を案内するガイド部１６ｃを有し、ハウジング３の両側壁間に位置するカード挿抜経路上に配置されるとともに、第２カード２の挿入に伴って押し下げられるガイド部材１６を備えている。
【００２７】
このガイド部材１６は、第１カード１の接触部１ｂと接触可能な第１コンタクト端子４の凸部４ａを突出可能にさせる例えば複数の窓部１６ａを有し、ハウジング３に回動可能に取り付けられる例えば平板から成る板状部１６ｂを含み、この板状部１６ｂにガイド部１６ｃを固設してある。
【００２８】
また、本実施形態は、第２カード２の挿入に伴って、この第２カード２と第１コンタクト端子４とが接触しないように、第１コンタクト端子４を押し下げるカム機構を備えている。
【００２９】
このカム機構は、上述したガイド部材１６の板状部１６ｂと、この板状部１６ｂに固設され、第２カード２によって押圧されるカム部１６ｄとによって構成されている。上述した第１カード１を案内するガイド部１６ｃは、例えばカム部１６ｄの側面に形成されている。
【００３０】
［本実施形態への第１カード挿入動作］
図７は本実施形態に第１カードが挿入される直前の状態を示す図で、特にカバー部材を除いた状態を示す平面図、図８は図７に示す状態からスライド部材を除いた状態を示す平面図である。図９は本実施形態に第１カードが挿入された状態を示す図で、特にカバー部材を除いた状態を示す平面図、図１０は図９に示す状態からスライド部材を除いた状態を示す平面図、図１１は図９のＢ−Ｂ断面拡大図である。図１２は本実施形態の所定の装着部に第１カードが装着された状態を示す図で、特にカバー部材を除いた状態を示す平面図、図１３は図１２に示す状態からスライド部材を除いた状態を示す平面図、図１４は図１２のＣ−Ｃ断面拡大図である。図１５は第１カードの排出に際し、図１２に示す状態からスライド部材をオーバーストロークさせた状態を示す図で、特にカバー部材を除いた状態を示す平面図、図１６は図１５に示す状態からスライド部材を除いた状態を示す平面図、図１７は図１５のＤ−Ｄ断面拡大図である。
【００３１】
図７に示すように、幅狭肉薄で長いカードである第１カード１の挿入前にあっては、スライド部材６は図示しない付勢部材の付勢力によってカード排出位置に保持されている。このとき、ハウジング３に取り付けられた摺動ピン７の先端部７ａはハートカム８の往路８ａの基端に位置している。また、図８に示すように、ガイド部材１６の板状部１６ｂは、ハウジング３の表面部とほぼ平行な状態に保持され、第１コンタクト端子４の凸部１４ａのそれぞれは板状部１６に形成された窓部１６ａのそれぞれから突出された状態に保持される。また、可動接点を形成するねじりコイルばね９の脚部９ａは共通接点１０に接触し、脚部９ｂは第１固定接点１１に接触した状態に保たれる。
【００３２】
このような状態において、第１カード１がハウジング３の挿入口３ａから挿入されると、図９〜１１に示すように、この第１カード１の先端部１ａがスライド部材６内に入り込み、このスライド部材６の表面部がガイド部６ａによって案内され、第１カード１の先端部１ａがスライド部材６の第１係合部６ｂに係合する。このとき、スライド部材６に設けられた付勢部材１４は、第１カード１の側部の凹部１４ａに係合する。すなわち、第１カード１は、スライド部材６に設けられた第１付勢部材１４によって保持された状態になる。
【００３３】
この状態から、第１カード１が押し込まれると、第１カード１の先端部１ａによってスライド部材６が装置の奥側に向かって移動し、第１カード１の先端部１ａは図１３に示すように、ガイド部材１６のガイド部１６ｃによって両側部が案内され、これに伴って摺動ピン７の先端部７ａがハートカム８の往路８ａからロック部８ｃまで摺動し、図１２に示すように、このロック部８ｃにおいて摺動ピン７が係止され、スライド部材６の移動が停止する。すなわち、スライド部材６はロック位置に至る。この間、第１カード１は第１付勢部材１４によって保持される。
【００３４】
また、スライド部材６が上述のようにロック位置まで移動する間、ねじりコイルばね９の脚部９ａが共通接点１０上を摺動し、脚部９ｂが第１固定接点１１上を摺動し、スライド部材６がロック位置に至ったとき、ねじりコイルばね９の脚部９ｂが第１固定接点１１から離脱し、絶縁領域１３と接触する。すなわち、スライド部材６がカード排出位置からロック位置に至る前までは、ねじりコイルばね９を介して共通接点１０と第１固定接点１１が導通してオンとなり、スライド部材６がロック位置に至ったとき、ねじりコイルばね９の脚部９ｂが絶縁領域１３に接触することによりオフとなる。このオフによってスライド部材６がロック位置にあることが検出される。
【００３５】
上述のように、スライド部材６がロック位置に保持されたとき、すなわち第１カード１がハウジング３の所定の装着部３ｂに装着されたとき、第１カード１の接触部１ｂと第１コンタクト端子４の凸部４ａとが接触し、この第１カード１に対する信号の送受信が可能となる。
【００３６】
また、このように第１カード１が所定の装着部３ｂに保持されている状態から排出されるときには、再び第１カード１が奥側に向かって押し込まれる。これによってスライド部材６がオーバーストロークし、図１５に示すように、摺動ピン７の先端部７ａはハートカム８のロック部８ｃから離脱して復路８ｂに進入し、スライド部材６のロックが解除される。また、図１６に示すように、ねじりコイルばね９の脚部９ａは共通接点１０上を摺動するものの、脚部９ｂは絶縁領域１３から離脱して第２固定接点１２上を摺動する。これにより、ねじりコイルばね９を介して、共通接点１０と第２固定接点１２とが導通し、オンとなる。すなわち、スライド部材６がロック解除され、オーバーストローク位置にあることが検出される。
【００３７】
このように、スライド部材６をオーバーストロークさせている状態から、第１カード１に加えていた押し込み力を弱めると、図示しない付勢部材の付勢力によってスライド部材６は、挿入口３ａ方向に、すなわちカード排出方向に移動し、このスライド部材６によって第１カード１が排出され、上述した図９〜１１に示す状態に復帰する。この間、摺動ピン７の先端部７ａはハートカム８の復路８ｂ上を摺動し、往路８ａの基端に至る。また、ねじりコイルばね９の脚部９ａは共通接点１０上を摺動し、脚部９ｂは第２固定接点１２に接触している状態から、絶縁領域１３に接触する状態となり、さらに、第１固定接点１１に接触する状態となる。すなわち、オンからオフに、さらにオフからオンに変化する。
【００３８】
このようにして、カード排出位置まで排出された第１カード１は、その端部を把持して容易に引き抜くことができる。このとき、第１カード１の先端部１ａはスライド部材６のガイド部６ａから離れ、第１付勢部材１４の凸部１４ａは第１カード１の凹部１ｃから離脱する。
【００３９】
［本実施形態への第２カード挿入動作］
図１８は本実施形態に第２カードが挿入される直前の状態を示す図で、特にカバー部材を除いた状態を示す平面図、図１９は図１８に示す状態からスライド部材を除いた状態を示す平面図である。図２０は本実施形態に第２カードが挿入された状態を示す図で、特にカバー部材を除いた状態を示す平面図、図２１は図２０に示す状態からスライド部材を除いた状態を示す平面図、図２２は図２０のＥ−Ｅ断面拡大図である。図２３は本実施形態の所定の装着部に第２カードが装着された状態を示す図で、特にカバー部材を除いた状態を示す平面図、図２４は図２３に示す状態からスライド部材を除いた状態を示す平面図、図２５は図２３のＦ−Ｆ断面拡大図である。図２６は第２カードの排出に際し、図２３に示す状態からスライド部材をオーバーストロークさせた状態を示す図で、特にカバー部材を除いた状態を示す平面図、図２７は図２６に示す状態からスライド部材を除いた状態を示す平面図、図２８は図２６のＧ−Ｇ断面拡大図である。
【００４０】
図１９，２０は、第１カード１に比べて幅広肉厚で短いカードである第２カード２の挿入前の状態を示しているが、このときのスライド部材６の位置、摺動ピン７とハートカム８との係合関係、第１コンタクト端子１４の凸部１４ａとガイド部材１６の板状部１６ｂの配置関係、及びねじりコイルばね９と、共通接点１０及び第１固定接点１１との配置関係は、上述した図７，８に示したものと同じである。
【００４１】
このような状態において、第２カード２がハウジング３の挿入口３ａから挿入されると、図２０〜２２に示すように、第２カード２の先端部２ａがスライド部材６の第２係合部６ｃに係合する。このときスライド部材６に設けられた付勢部材１４の凸部１４ａは、第２カード２の一方の側部の凹部２ｃに係合し、付勢部材１５の凸部１５ａは第２カード２の他方の側部の凹部２ｃに係合する。すなわち、第２カード２は、スライド部材６に設けられた第１付勢部材１４及び第２付勢部材１５によって保持された状態になる。
【００４２】
この状態から第２カード２が押し込まれると、第２カード２の先端部２ａによってスライド部材６が装置の奥側に向かって移動し、第２カード２は、ガイド部材１６のカム部１６ｄに係合してこのカム部１６ｄを介して板状部１６ｂを下方に回動させる。すなわち、板状部１６ｂの回動によって第２カード２の接触部２ｂと第１コンタクト端子１４の凸部１４ａとが接触しないように保持される。また、スライド部材６の移動とともに、摺動ピン７の先端部７ａがハートカム８の往路８ａからロック部８ｃまで摺動し、図２３に示すように、このロック部８ｃにおいて摺動ピン７が係止され、スライド部材６の移動が停止する。すなわち、スライド部材６はロック位置に至る。この間、第２カード２は、第１付勢部材１４及び第２付勢部材１５によって保持される。
【００４３】
このようにスライド部材６がロック位置まで移動する間の、及びロック位置に至ったときのねじりコイルばね９の脚部９ａ，９ｂと、共通接点１０、第１固定接点１１、絶縁領域１３との接触関係は、上述と同じであり、スライド部材６がカード排出位置からロック位置に至るまではオンとなり、ロック位置に至ったときオフとなる。
【００４４】
スライド部材６がロック位置に保持されたとき、すなわち第２カード２がハウジング３の所定の装着部３ｂに装着されたとき、第２カード２の接触部２ｂと第２コンタクト端子５とが接触し、この第２カード２に対する信号の送受信が可能となる。
【００４５】
また、このように第２カード２が所定の装着部３ｂに保持されている状態から、排出されるときには、再び第２カード２が装置の奥側に押し込まれる。これによってスライド部材６がオーバーストロークし、図２６に示すように、摺動ピン７の先端部７ａはハートカム８のロック部８ｃから離脱して復路８ｂに進入し、スライド部材６のロックが解除される。また、図２７に示すように、ねじりコイルばね９を介して、共通接点１０と第２固定接点１２とが導通し、オンとなる。すなわち、スライド部材６がロック解除され、オーバーストローク位置にあることが検出される。
【００４６】
このように、スライド部材６をオーバーストロークさせている状態から、第２カード２に加えていた押し込み力を弱めると、上述したように図示しない付勢部材によってスライド部材６は、カード排出方向に移動し、このスライド部材６によって第２カード２が排出され、上述した図２０〜２２に示す状態に復帰する。
【００４７】
このようにしてカード排出位置まで排出された第２カード２は、その端部を把持して容易に引き抜くことができる。このとき、第１付勢部材１４の凸部１４ａ及び第２付勢部材１５の凸部１５ａは、第２カード２の両側部の凹部２ｃからそれぞれ離脱する。
【００４８】
［本実施形態の効果］
以上のように構成した本実施形態によれば、ガイド部材１６のガイド部１６ｃによって幅狭肉薄の第１カード１を案内し、挿入された第１カード１の所定の装着部３ｂ方向への移動、及び所定の装着部３ｂに装着された第１カード１の排出方向への移動を円滑に行なわせることができる。また、第２カード２が挿入されたときには、ガイド部材１６の板状部１６ｂが押し下げられることにより、このガイド部１６ｃによる第２カード２の移動に対する規制を除くことができる。また、ガイド部材１６は、ハウジング３の両側壁間に位置するカード挿抜経路上に配置されており、したがって、ハウジング３の側壁から進退する部材を設けることなく幅狭肉薄のカードである第１カード１を案内できる。これによって、装置の幅寸法を小さくすることができ、装置の小型化を実現させることができる。また、比較的大きな配置空間を形成し得るカード挿抜経路上にガイド部材１６を配置すればよいので、このガイド部材１６の組み込み作業を簡単に行なうことができる。
【００４９】
また、ガイド部材１６が、板状部１６ｂと、この板状部１６ｂに固設されるガイド部１６ｃを含む簡単な構成であるので、このガイド部材１６の製作が簡単である。
【００５０】
また、スライド部材６のガイド部６ａによって第１カード１の厚さ方向に位置する面部、すなわち表面部も案内される。これによって、より精度の良い第１カード１の案内を実現させることができる。
【００５１】
また、例えばスライド部材６の第１係合部６ｂと第２係合部６ｃとの間隔を、第１カード１の長さ寸法Ｌ１と第２カード２の長さ寸法Ｌ２の差にほぼ等しく設定すれば、ハウジング３の所定の装着部３ｂに第１カード１を装着させたときにハウジング３の挿入口３ａから外に出るこの第１カード１の端部の長さ寸法と、ハウジング３の所定の装着部３ｂに第２カード２を装着させたときにハウジング３の挿入口３ａから外に出るこの第２カード２の端部の長さ寸法とをほぼ同じ寸法とすることができる。
【００５２】
また、本実施形態によれば、短いカードである第２カード２が押し込まれた際には、ガイド部材１６の板状部１６ｂ及びカム部１６ｄを含むカム機構によって第１コンタクト端子４が第２カード２の接触部２ｂと接触しないように押し下げられる。すなわち、短いカードである第２カード２と、本来接触させてはならない長いカードである第１カード１に関連して設けられる第１コンタクト端子４との接触を防ぐことができ、このような接触による誤動作の発生を防止できる。これによって信頼性の高いカード用コネクタ装置を実現できる。また、第１コンタクト端子４と第２コンタクト端子５とを接近させて配置させることによる装置の小型化も実現可能である。
【００５３】
また、カム機構が、ガイド部材１６の一部である板状部１６ｂと、この板状部１６ｂに固設されるカム部１６ｄを含む簡単な構成であるので、このカム機構の製作が容易である。
【００５４】
また、本実施形態は、所定の装着部３ｂに装着された第２カード２を排出させるために、第２カード２を押し込んでスライド部材６をオーバーストロークさせた際でも、上述したカム機構によって第２カード２と第１コンタクト端子４との接触を生じることがない。
【００５５】
また、可動接点を形成するねじりコイルばね９と、共通接点１０と、第１固定接点１１及び第２固定接点１２と、絶縁領域１３とを含み、スライド部材６が、所定の排出位置とロック位置との間にあることを検出可能な、また、ロック位置にあることを検出可能な、さらに、オーバーストローク位置にあることを検出可能な検出手段を備えたことから、この検出手段により、スライド部材６がロック位置にあることが、また、オーバーストローク位置にあることが、さらに、これらの両位置以外の位置にあることが検出されるので、第１カード１及び第２カード２に対する信号の送受信制御を高精度に行なうことができ、この点でも高い信頼性を確保することができる。
【００５６】
なお、上記実施形態では、ねじりコイルばね９と、共通接点１０、第１固定接点１１、第２固定接点１２、及び絶縁領域１３との配置関係を、スライド部材６のロック位置でオフとなり、オーバーストローク位置でオンとなり、それ以外の位置でオンとなる関係に構成してあるが、これとは逆にスライド部材６のロック位置でオンとなり、オーバーストローク位置でオフとなり、それ以外の位置でオフとなる関係に、ねじりコイルばね９と、共通接点１０と、ねじりコイルばね９の脚部９ｂが接触する固定接点及び絶縁領域とを配置した構成にしてもよい。
【図面の簡単な説明】
【００５７】
【図１】本発明に係るカード用コネクタ装置の一実施形態に使用される第１カードを示す図で、（ａ）図は平面図、（ｂ）図は正面図、（ｃ）図は側面図、（ｄ）図は裏面図である。
【図２】本発明に係るカード用コネクタ装置の一実施形態に使用される第２カードを示す図で、（ａ）図は平面図、（ｂ）図は正面図、（ｃ）図は側面図、（ｄ）図は裏面図である。
【図３】本実施形態の構成を示す図で、特にカバー部材を除いた状態を示す平面図である。
【図４】図３に示す状態からスライド部材を除いた状態を示す平面図である。
【図５】図３のＡ−Ａ断面拡大図である。
【図６】本実施形態に備えられるガイド部材を示す図で、（ａ）図は平面図、（ｂ）図は正面図、（ｃ）図は側面図である。
【図７】本実施形態に第１カードが挿入される直前の状態を示す図で、特にカバー部材を除いた状態を示す平面図である。
【図８】図７に示す状態からスライド部材を除いた状態を示す平面図である。
【図９】本実施形態に第１カードが挿入された状態を示す図で、特にカバー部材を除いた状態を示す平面図である。
【図１０】図９に示す状態からスライド部材を除いた状態を示す平面図である。
【図１１】図９のＢ−Ｂ断面拡大図である。
【図１２】本実施形態の所定の装着部に第１カードが装着された状態を示す図で、特にカバー部材を除いた状態を示す平面図である。
【図１３】図１２に示す状態からスライド部材を除いた状態を示す平面図である。
【図１４】図１２のＣ−Ｃ断面拡大図である。
【図１５】第１カードの排出に際し、図１２に示す状態からスライド部材をオーバーストロークさせた状態を示す図で、特にカバー部材を除いた状態を示す平面図である。
【図１６】図１５に示す状態からスライド部材を除いた状態を示す平面図である。
【図１７】図１５のＤ−Ｄ断面拡大図である。
【図１８】本実施形態に第２カードが挿入される直前の状態を示す図で、特にカバー部材を除いた状態を示す平面図である。
【図１９】図１８に示す状態からスライド部材を除いた状態を示す平面図である。
【図２０】本実施形態に第２カードが挿入された状態を示す図で、特にカバー部材を除いた状態を示す平面図である。
【図２１】図２０に示す状態からスライド部材を除いた状態を示す平面図である。
【図２２】図２０のＥ−Ｅ断面拡大図である。
【図２３】本実施形態の所定の装着部に第２カードが装着された状態を示す図で、特にカバー部材を除いた状態を示す平面図である。
【図２４】図２３に示す状態からスライド部材を除いた状態を示す平面図である。
【図２５】図２３のＦ−Ｆ断面拡大図である。
【図２６】第２カードの排出に際し、図２３に示す状態からスライド部材をオーバーストロークさせた状態を示す図で、特にカバー部材を除いた状態を示す平面図である。
【図２７】図２６に示す状態からスライド部材を除いた状態を示す平面図である。
【図２８】図２６のＧ−Ｇ断面拡大図である。
【符号の説明】
【００５８】
１    第１カード
１ａ  先端部
１ｂ  接触部
１ｃ  凹部
２    第２カード
２ａ  先端部
２ｂ  接触部
２ｃ  凹部
３    ハウジング
３ａ  挿入口
３ｂ  所定の装着部
４    第１コンタクト端子
４ａ  凸部
５    第２コンタクト端子
６    スライド部材
６ａ  ガイド部
６ｂ  第１係合部
６ｃ  第２係合部
６ｄ  取り付け部
７    摺動ピン（ロック機構）
７ａ  先端部
８    ハートカム（ロック機構）
８ａ  往路
８ｂ  復路
８ｃ  ロック部
９    ねじりコイルばね（検出手段）
９ａ  脚部
９ｂ  脚部
１０    共通接点（検出手段）
１１    第１固定接点（検出手段）
１２    第２固定接点（検出手段）
１３    絶縁領域
１４    第１付勢部材
１４ａ  凸部
１５    第２付勢部材
１５ａ  凸部
１６    ガイド部材
１６ａ  窓部
１６ｂ  板状部（カム機構）
１６ｃ  ガイド部
１６ｄ  カム部（カム機構）
Ｌ１    長さ寸法
Ｌ２    長さ寸法
Ｗ１    幅寸法
Ｗ２    幅寸法
ｔ１    厚さ寸法
ｔ２    厚さ寸法
【図１】
2008004433.tif 000003
【図２】
2008004433.tif 000004
【図３】
2008004433.tif 000005
【図４】
2008004433.tif 000006
【図５】
2008004433.tif 000007
【図６】
2008004433.tif 000008
【図７】
2008004433.tif 000009
【図８】
2008004433.tif 000010
【図９】
2008004433.tif 000011
【図１０】
2008004433.tif 000012
【図１１】
2008004433.tif 000013
【図１２】
2008004433.tif 000014
【図１３】
2008004433.tif 000015
【図１４】
2008004433.tif 000016
【図１５】
2008004433.tif 000017
【図１６】
2008004433.tif 000018
【図１７】
2008004433.tif 000019
【図１８】
2008004433.tif 000020
【図１９】
2008004433.tif 000021
【図２０】
2008004433.tif 000022
【図２１】
2008004433.tif 000023
【図２２】
2008004433.tif 000024
【図２３】
2008004433.tif 000025
【図２４】
2008004433.tif 000026
【図２５】
2008004433.tif 000027
【図２６】
2008004433.tif 000028
【図２７】
2008004433.tif 000029
【図２８】
2008004433.tif 000030